(57)【要約】      （修正有）【課題】携帯時にハンドル操作の妨げとならず、フレームを損傷することがなく、施錠装置を使用しないときに折りたたみ収納する手間がかからない施錠装置の提供。【解決手段】嵌合形状８、９と内部で移動可能な係止片備える錠本体とを備える端部１と、係止片が係合することで錠本体が係止可能となる被係止部１５と嵌合形状１２とを備える端部２と、一端及び他端がそれぞれ端部１及び２に接続され、予め円筒コイル状にくせがつけられているワイヤー部３と、を備える施錠装置と、嵌合形状８、９及び嵌合形状１２とそれぞれ嵌合し抜き差し可能に保持する嵌合形状５３及び５４と、嵌合形状５３及び５４の間に設けられ、棒状であり軸線方向に見た内壁５９が略Ｃ字状で、ワイヤー部３を略Ｃ字状の両端間の挿入口から内壁５９の内側に挿入可能であるワイヤー収納部と、を備える保持部材とを具備し、ワイヤー部３を、素早くコンパクトな棒状にして保持部材に収納する。【選択図】図４
2008019703.tif 000002
【特許請求の範囲】
【請求項１】
第１嵌合形状と、内部で移動可能な係止片を備える錠本体と、を備える第１端部と、
第２嵌合形状と、前記係止片が係合することで前記錠本体が係止可能となる被係止部と、を備える第２端部と、
一端及び他端がそれぞれ前記第１端部及び前記第２端部に接続され、予め円筒コイル状にくせがつけられているワイヤー部と、
を備える施錠装置と、
前記第１嵌合形状及び前記第２嵌合形状とそれぞれ嵌合し抜き差し可能に保持する第３嵌合形状及び第４嵌合形状と、
前記第３嵌合形状及び前記第４嵌合形状の間に設けられ、棒状であり軸線方向に見た内壁が略C字状で、前記ワイヤー部を前記略C字状の両端の間の挿入口から前記内壁の内側に挿入可能であるワイヤー収納部と、
を備える保持部材と、
を具備する、携帯式の施錠装置。
【請求項２】
前記保持部材は、移動体の棒状部に固定可能な取り付け手段を備える、
請求項１に記載の携帯式の施錠装置。
【発明の詳細な説明】
【技術分野】
【０００１】
本発明は、携帯式の施錠装置に関する。
【背景技術】
【０００２】
携帯式の施錠装置においては、特許文献１のように被施錠物に略Ｕ字状棒を通してから略Ｕ字状棒の両端に略Ｉ字状棒を係止することで施錠するものや、特許文献２のように被施錠物にワイヤーを通してからワイヤーがループ状になるように係止することで施錠するものがよく知られている。
【０００３】
【特許文献１】特開２００２−３０９８２９号公報
【特許文献２】特開２００２−３７１７３８号公報
【０００４】
また、特許文献３又は４のように、ケーシング内部に収納可能で一端がケーシング内部に固定されるワイヤーを用いた錠のアイデアが知られている。
【０００５】
【特許文献３】特開２０００−０５３０４６号公報
【特許文献４】実開昭６３−０６７１６８号公報
【発明の開示】
【発明が解決しようとする課題】
【０００６】
施錠装置においては、頑丈そうな外観で、悪意ある第三者が被施錠物を盗難する意欲が無くなるようなものが望まれる。
また、門柱等につなぐように被施錠物を施錠して、被施錠物が容易に移動されないようにする為に、長いワイヤー等をもつ施錠装置が望まれる。
しかし、これらの盗難防止を意識した施錠装置は携帯性に難のあるものが多く、例えばスポーツタイプの自転車のようにカゴの無い自転車では、ハンドルに引っ掛けて頑丈そうな施錠装置をふらふらさせながら走行しているのをよく見かける。このような携帯方法はハンドル操作の妨げとなるし、フレームがアルミやカーボンで薄肉化され、美しい塗装が施されたスポーツタイプの自転車では、ふらふらと動く施錠装置がフレームを損傷することが心苦しい。だからといって、施錠装置を使用しないときに折りたたみ収納する手間がかかれば、いざ使用するときにも手間がかかり、ついつい施錠がおろそかになってしまう。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る携帯式の施錠装置は、例えば図１から図４のように、
嵌合形状８（９）と、内部で移動可能な係止片１０を備える錠本体５と、を備える端部１と、
嵌合形状１２と、係止片１０が係合することで錠本体５が係止可能となる被係止部１５と、を備える端部２と、
一端及び他端がそれぞれ端部１及び２に接続され、予め円筒コイル状にくせがつけられているワイヤー部３と、
を備える施錠装置４と、
嵌合形状８（９）及び嵌合形状１２とそれぞれ嵌合し抜き差し可能に保持する嵌合形状５３及び５４と、
嵌合形状５３及び５４の間に設けられ、棒状であり軸線方向に見た内壁５９が略C字状で、ワイヤー部３を前記略C字状の両端の間の挿入口６０から内壁５９の内側に挿入可能であるワイヤー収納部６１と、
を備える保持部材５０と、
を具備する、携帯式の施錠装置である。
【０００９】
発明２に係る携帯式の施錠装置は、発明１の施錠装置において、例えば図３、６、８のいずれかのように、
保持部材５０は、自転車やオートバイ等の移動体の棒状部に固定可能な取り付け手段６２を備える、携帯式の施錠装置である。
【発明の効果】
【００１０】
以上のように本発明では、施錠装置４を使用する際は、特許文献３又は４の施錠装置と違ってケーシングである保持部材５０を素早く取り外すことが可能であるので、ケーシング内部で曲がることができなかったワイヤーも有効利用することが可能となり、十分な長さをもったワイヤー部３によって被施錠物の移動を有効に防ぐことができる。また、屋外使用においてワイヤー部３に付着したゴミをケーシング内部に引き込んで掃除ができないというような不都合も起こりにくい。また、保持部材５０に施錠装置４を収納する際は、図１のようにワイヤー部３を伸ばしてやれば円筒コイル形状の外径が細くなるので容易に挿入口６０からワイヤー部３０を収納することができ、また収納後は外径が元に戻るのでワイヤー収納部６１の内側でのワイヤー部３のガタツキを抑えることが容易である。
【００１１】
また、発明２では、本発明の効果に加えて、例えば自転車フレームのボトムチューブやシートチューブ等に予め設けられたドリンクホルダー取り付け用ネジ穴を利用して保持部材５０を取り付け、ドリンクボトルとフレームパイプに寄り添うように施錠装置４を収納しておけば、使用時には速やかに施錠装置４を利用でき、自転車フレームに負担や傷を負わせる可能性が低くなるし、自転車操作の妨げにならない。
【発明を実施するための最良の形態】
【００１２】
〔第１実施形態〕
図１から図４において、端部１は、内筒６、鍵穴７、外筒２０、タンブラ等から構成されるシリンダ錠である錠本体５をポリアセタールにインサートして成型された円柱形状で、外周を１周する凹形状の嵌合形状８及び９が成型されている。また、内筒６には係止片１０が一体成型されており、内筒６の回転中心軸線に垂直な方向に端部１の外壁を貫通するように開けられた穴１１から係止片１０を見ることができる。
また、ステンレス複より線にビニールコーティングを施したワイヤー部３は、予め円筒コイル状にくせがつけられており、自由な状態では円筒コイル密着巻に近い状態となるが、両端を引っ張ると柔軟に伸びる。また、ワイヤー部３の両端部分にはビニールコーティングは施されておらず、それぞれ外筒２０及び被係止部１５に設けられた穴に挿入されて圧着接続されている。
また、端部２は、被係止部１５を構成する鉄製円柱状棒の一端部をポリアセタールにインサートして成型された円柱形状で、外周を１周する凹形状の嵌合形状１２が成型されている。また、被係止部１５の外周中央付近を１周するように溝１６が設けられている。
また、施錠の際は、ワイヤー部３を伸ばして被施錠物に通したあと、被係止部１５の先端で係止片１０を押しのけて穴１１に被係止部１５を挿入し、挿入が完了した被係止部１５の溝１６に係止片１０がバネの力で戻ってきて係合し、被係止部１５を係止する。また、解錠の際は、鍵穴７に錠本体５と一対となる鍵を挿入し、内筒６を外筒２０に相対回転させることで溝１６から係止片１０を外す。
【００１３】
また、図３の保持部材５０は、ガラスファイバーを混合したポリエチレン成型製で、自転車フレームのドリンクホルダー取り付け用ネジ穴の取り付けピッチにあわせた長穴５５及び５６を有し、嵌合形状８（９）及び１２とそれぞれ嵌合する嵌合形状５３及び５４を略Ｃ字状の嵌合部５１及び５２の内壁として備える。また、保持部材５０の素材の弾性を利用して嵌合部５１及び５２によって、施錠装置４を抜き差し容易に保持する。
また、保持部材５０には図９のように図３の線分Ａ−Ａ断面図が略Ｃ字状のワイヤー収納部６１が備えられ、僅かに抵抗をもってワイヤー部３の円筒コイル形状が挿入されることで、施錠装置４の収納時にワイヤー部３は振動等によってガタツキにくくなる。
また、移動体の棒状部にネジ穴等の取り付けの手がかりが無い場合は、電線を束ねる為の帯のような帯状の部材を穴５８に通して溝５７に沿わせてから移動体の棒状部に巻き付けることで固定する方法が考えられる。また、保持部材５０に帯状部を予め設けておいても良いだろう。
【００１４】
〔第２実施形態〕
図５及び６において、端部１は、１から９までの数字が外周に表示されたリング状のダイヤル１７及び１８を回転自在に備えるダイヤル錠の形状をそのまま利用しており、嵌合形状８及び９はそれぞれダイヤル１７及び１８に形成されている。また、係止片１０はダイヤル１７の内周に一体成型されており、穴１１から挿入された被係止部１５の溝１６に係合することで錠本体５は被係止部１５を係止可能となる。また、ダイヤル１８にも同様の係止片が設けられている。
また、ステンレス複より線にビニールコーティングを施したワイヤー部３は、予め円筒コイル状にくせがつけられており、自由な状態では円筒コイル密着巻に近い状態となるが、両端を引っ張ると柔軟に伸びる。また、ワイヤー部３の両端部分にはビニールコーティングは施されておらず、それぞれダイヤル錠の外郭及び被係止部１５に設けられた穴に挿入されて圧着接続されている。
また、端部２は鋳造鉄製で被係止部１５には切り欠き状の溝１６が設けられており、また、外周を１周する凹形状の嵌合形状１２が成型されている。
また、施錠の際は、ダイヤル１７及び１８を暗証番号に合わせてから被係止部１５を穴１１に挿入し、ダイヤル１７を暗証番号から外すことで被係止部１５の溝１６に係止片１０が係合し、被係止部１５を係止する。また、解錠の際は再び暗証番号通りにダイヤル１７及び１８を合わせればよい。
【００１５】
また、図６の保持部材５０は、図３の保持部材５０のように嵌合部５２を備えず、ワイヤー収納部６１の一端部の内壁５９に溝状の嵌合形状５４が設けられている。この嵌合形状５４には嵌合形状１２のフランジ部１３が嵌合する。また、端部２にはテーパー部１４が設けられているので、ワイヤー収納部６１の軸線方向からフランジ部１３を挿入して嵌合形状５４に嵌合させることも容易である。
その他は図３の保持部材５０と同様である。
【００１６】
〔第３実施形態〕
第３実施形態の携帯式の施錠装置は、第１実施形態の携帯式の施錠装置を、図７及び８のように変更したのものである。変更したのは嵌合形状１２であり、六角形の穴１９による嵌合形状１２に、六角形の棒６３による嵌合形状５４が挿入されるものである。
【００１７】
〔その他の実施形態〕
第１から第３実施形態において説明した様々な嵌合形状１２の案の他にも、嵌合部５２又はワイヤー収納部６１の一端部の外壁にキャップ状の端部２の内壁が嵌合するような案も考えられる。また、これらの嵌合形状１２の案は、第１から第３実施形態のいずれの端部１にも適用することができる。また、適用された嵌合形状１２の案に合わせて保持部材５０の嵌合形状５３も当然変更される。
また、ワイヤー収納部６１は、図９のような案の他にも、図１０のように軸線６６を中心に相対揺動可能なアーム６４及び６５によって構成されるような案も考えられる。この際、アーム６４及びアーム６５は適度な摺動抵抗を伴って揺動する、又はアーム６４がアーム６５に近づく方向にネジリコイルバネ等の付勢部材によって付勢されているようにすればさらに好ましい。
【図面の簡単な説明】
【００１８】
【図１】第１実施形態の施錠装置４のワイヤー部３を伸ばした状態を表す図
【図２】第１実施形態の施錠装置４のワイヤー部３を縮めた状態を第三角法で表す図
【図３】第１実施形態の保持部材５０を表す図
【図４】第１実施形態の施錠装置４を保持部材５０に収納した状態を表す図
【図５】第２実施形態の施錠装置４のワイヤー部３を縮めた状態を第三角法で表す図
【図６】第２実施形態の保持部材５０を表す図
【図７】第３実施形態の施錠装置４のワイヤー部３を縮めた状態を第三角法で表す図
【図８】第３実施形態の保持部材５０を表す図
【図９】図３、６、８のいずれかの線分Ａ−Ａ断面図、その１
【図１０】図３、６、８のいずれかの線分Ａ−Ａ断面図、その２
【符号の説明】
【００１９】
１,２.                                                端部
３.                                                     ワイヤー部
４.                                                     施錠装置
５.                                                     錠本体
６.                                                     内筒
７.                                                     鍵穴
８,９,１２,５３,５４.                      嵌合形状
１０.                                                 係止片
１１,１９,５８.                                穴
１３.                                                 フランジ部
１４.                                                 テーパー部
１５.                                                 被係止部
１６,５７.                                        溝
１７,１８.                                         ダイヤル
２０.                                                 外筒
５０.                                                 保持部材
５１,５２.                                        嵌合部
５５,５６.                                        長穴
５９.                                                 内壁
６０.                                                 挿入口
６１.                                                 ワイヤー収納部
６２.                                                 取り付け手段
６３.                                                 棒
６４,６５.                                        アーム
６６.                                                 軸線
６７.                                                 当たり
【図１】
2008019703.tif 000003
【図２】
2008019703.tif 000004
【図３】
2008019703.tif 000005
【図４】
2008019703.tif 000006
【図５】
2008019703.tif 000007
【図６】
2008019703.tif 000008
【図７】
2008019703.tif 000009
【図８】
2008019703.tif 000010
【図９】
2008019703.tif 000011
【図１０】
2008019703.tif 000012
【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
第１嵌合形状と、内部で移動可能な係止片を備える錠本体と、を備える第１端部と、
第２嵌合形状と、前記係止片が係合することで前記錠本体が係止可能となる被係止部と、を備える第２端部と、
一端及び他端がそれぞれ前記第１端部及び前記第２端部に接続され、予め円筒コイル状にくせがつけられているワイヤー部と、
を備える施錠装置と、
前記第１嵌合形状及び前記第２嵌合形状とそれぞれ嵌合し抜き差し可能に保持する第３嵌合形状及び第４嵌合形状と、
前記第３嵌合形状及び前記第４嵌合形状の間に設けられ、棒状であり長手方向に見た内壁が略C字状で、前記ワイヤー部を前記略C字状の両端の間の挿入口から前記内壁の内側に挿入可能であるワイヤー収納部と、
を備える保持部材と、
を具備する、携帯式の施錠装置。
【請求項２】
前記保持部材は、棒状の前記ワイヤー収納部が移動体の棒状部に寄り添うように固定可能な取り付け手段を備える、
請求項１に記載の携帯式の施錠装置。
【請求項３】
前記取り付け手段は、前記保持部材に一体又は別体に備えられる帯状部によるものであり、
前記帯状部は前記移動体の棒状部に巻き付け可能である、
請求項２に記載の携帯式の施錠装置。
【請求項４】
前記保持部材は、自転車フレームのドリンクホルダー取り付け用ネジ穴の取り付けピッチにあわせた第1穴及び第２穴を備える、
請求項１に記載の携帯式の施錠装置。
【手続補正２】
【補正対象書類名】明細書
【補正対象項目名】全文
【補正方法】変更
【補正の内容】
【発明の詳細な説明】
【技術分野】
【０００１】
本発明は、携帯式の施錠装置に関する。
【背景技術】
【０００２】
携帯式の施錠装置においては、特許文献１のように被施錠物に略Ｕ字状棒を通してから略Ｕ字状棒の両端に略Ｉ字状棒を係止することで施錠するものや、特許文献２のように被施錠物にワイヤーを通してからワイヤーがループ状になるように係止することで施錠するものがよく知られている。
【０００３】
【特許文献１】特開２００２−３０９８２９号公報
【特許文献２】特開２００２−３７１７３８号公報
【０００４】
また、特許文献３又は４のように、ケーシング内部に収納可能で一端がケーシング内部に固定されるワイヤーを用いた錠のアイデアが知られている。
【０００５】
【特許文献３】特開２０００−０５３０４６号公報
【特許文献４】実開昭６３−０６７１６８号公報
【発明の開示】
【発明が解決しようとする課題】
【０００６】
施錠装置においては、頑丈そうな外観で、悪意ある第三者が被施錠物を盗難する意欲が無くなるようなものが望まれる。
また、門柱等につなぐように被施錠物を施錠して、被施錠物が容易に移動されないようにする為に、長いワイヤー等をもつ施錠装置が望まれる。
しかし、これらの盗難防止を意識した施錠装置は携帯性に難のあるものが多く、例えばスポーツタイプの自転車のようにカゴの無い自転車では、ハンドルに引っ掛けて頑丈そうな施錠装置をふらふらさせながら走行しているのをよく見かける。このような携帯方法はハンドル操作の妨げとなるし、フレームがアルミやカーボンで薄肉化され、美しい塗装が施されたスポーツタイプの自転車では、ふらふらと動く施錠装置がフレームを損傷することが心苦しい。だからといって、施錠装置を使用しないときに折りたたみ収納する手間がかかれば、いざ使用するときにも手間がかかり、ついつい施錠がおろそかになってしまう。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る携帯式の施錠装置は、例えば図１から図４のように、
嵌合形状８（９）と、内部で移動可能な係止片１０を備える錠本体５と、を備える端部１と、
嵌合形状１２と、係止片１０が係合することで錠本体５が係止可能となる被係止部１５と、を備える端部２と、
一端及び他端がそれぞれ端部１及び２に接続され、予め円筒コイル状にくせがつけられているワイヤー部３と、
を備える施錠装置４と、
嵌合形状８（９）及び嵌合形状１２とそれぞれ嵌合し抜き差し可能に保持する嵌合形状５３及び５４と、
嵌合形状５３及び５４の間に設けられ、棒状であり長手方向に見た内壁５９が略C字状で、ワイヤー部３を前記略C字状の両端の間の挿入口６０から内壁５９の内側に挿入可能であるワイヤー収納部６１と、
を備える保持部材５０と、
を具備する、携帯式の施錠装置である。
【０００９】
発明２に係る携帯式の施錠装置は、発明１の施錠装置において、例えば図３、６、８のいずれかのように、
保持部材５０は、棒状のワイヤー収納部６１が自転車やオートバイ等の移動体の棒状部に寄り添うように固定可能な取り付け手段６２を備える、携帯式の施錠装置である。
【００１０】
発明３に係る携帯式の施錠装置は、発明２の施錠装置において、
取り付け手段６２は、保持部材５０に一体又は別体に備えられる帯状部によるものであり、
前記帯状部は前記移動体の棒状部に巻き付け可能である、携帯式の施錠装置である。
例えば、図３、６、８のいずれかにおいては、帯状の部材を穴５８に通して溝５７に沿わせてから移動体の棒状部に巻き付ける。
【００１１】
発明４に係る携帯式の施錠装置は、発明１の施錠装置において、例えば図３、６、８のいずれかのように、
保持部材５０は、自転車フレームのドリンクホルダー取り付け用ネジ穴の取り付けピッチにあわせた穴５５及び５６を備える、携帯式の施錠装置である。
【発明の効果】
【００１２】
以上のように本発明では、施錠装置４を使用する際は、特許文献３又は４の施錠装置と違ってケーシングである保持部材５０を素早く取り外すことが可能であるので、ケーシング内部で曲がることができなかったワイヤーも有効利用することが可能となり、十分な長さをもったワイヤー部３によって被施錠物の移動を有効に防ぐことができる。また、屋外使用においてワイヤー部３に付着したゴミをケーシング内部に引き込んで掃除ができないというような不都合も起こりにくい。また、保持部材５０に施錠装置４を収納する際は、図１のようにワイヤー部３を伸ばしてやれば円筒コイル形状の外径が細くなるので容易に挿入口６０からワイヤー部３０を収納することができ、また収納後は外径が元に戻るのでワイヤー収納部６１の内側でのワイヤー部３のガタツキを抑えることが容易である。
【００１３】
また、発明２又は３では、本発明の効果に加えて、例えば自転車フレームのフレームパイプに寄り添うように棒状のワイヤー収納部６１を配置し、施錠装置４を収納しておけば、使用時には速やかに施錠装置４を利用でき、自転車フレームに負担や傷を負わせる可能性が低くなるし、自転車操作の妨げにならない。
【００１４】
また、発明４では、本発明の効果に加えて、例えば自転車フレームのボトムチューブやシートチューブ等に予め設けられたドリンクホルダー取り付け用ネジ穴を利用して保持部材５０を取り付け、ドリンクボトルとフレームパイプに寄り添うように施錠装置４を収納しておけば、使用時には速やかに施錠装置４を利用でき、自転車フレームに負担や傷を負わせる可能性が低くなるし、自転車操作の妨げにならない。
【発明を実施するための最良の形態】
【００１５】
〔第１実施形態〕
図１から図４において、端部１は、内筒６、鍵穴７、外筒２０、タンブラ等から構成されるシリンダ錠である錠本体５をポリアセタールにインサートして成型された円柱形状で、外周を１周する凹形状の嵌合形状８及び９が成型されている。また、内筒６には係止片１０が一体成型されており、内筒６の回転中心軸線に垂直な方向に端部１の外壁を貫通するように開けられた穴１１から係止片１０を見ることができる。
また、ステンレス複より線にビニールコーティングを施したワイヤー部３は、予め円筒コイル状にくせがつけられており、自由な状態では円筒コイル密着巻に近い状態となるが、両端を引っ張ると柔軟に伸びる。また、ワイヤー部３の両端部分にはビニールコーティングは施されておらず、それぞれ外筒２０及び被係止部１５に設けられた穴に挿入されて圧着接続されている。
また、端部２は、被係止部１５を構成する鉄製円柱状棒の一端部をポリアセタールにインサートして成型された円柱形状で、外周を１周する凹形状の嵌合形状１２が成型されている。また、被係止部１５の外周中央付近を１周するように溝１６が設けられている。
また、施錠の際は、ワイヤー部３を伸ばして被施錠物に通したあと、被係止部１５の先端で係止片１０を押しのけて穴１１に被係止部１５を挿入し、挿入が完了した被係止部１５の溝１６に係止片１０がバネの力で戻ってきて係合し、被係止部１５を係止する。また、解錠の際は、鍵穴７に錠本体５と一対となる鍵を挿入し、内筒６を外筒２０に相対回転させることで溝１６から係止片１０を外す。
【００１６】
また、図３の保持部材５０は、ガラスファイバーを混合したポリエチレン成型製で、自転車フレームのドリンクホルダー取り付け用ネジ穴の取り付けピッチにあわせた長穴である穴５５及び５６を有し、嵌合形状８（９）及び１２とそれぞれ嵌合する嵌合形状５３及び５４を略Ｃ字状の嵌合部５１及び５２の内壁として備える。また、保持部材５０の素材の弾性を利用して嵌合部５１及び５２によって、施錠装置４を抜き差し容易に保持する。
また、保持部材５０には図９のように図３の線分Ａ−Ａ断面図が略Ｃ字状のワイヤー収納部６１が備えられ、僅かに抵抗をもってワイヤー部３の円筒コイル形状が挿入されることで、施錠装置４の収納時にワイヤー部３は振動等によってガタツキにくくなる。
また、移動体の棒状部にネジ穴等の取り付けの手がかりが無い場合は、電線を束ねる為の帯のような帯状の部材を穴５８に通して溝５７に沿わせてから移動体の棒状部に巻き付けることで固定する方法が考えられる。また、保持部材５０に帯状部を予め設けておいても良いだろう。
【００１７】
〔第２実施形態〕
図５及び６において、端部１は、１から９までの数字が外周に表示されたリング状のダイヤル１７及び１８を回転自在に備えるダイヤル錠の形状をそのまま利用しており、嵌合形状８及び９はそれぞれダイヤル１７及び１８に形成されている。また、係止片１０はダイヤル１７の内周に一体成型されており、穴１１から挿入された被係止部１５の溝１６に係合することで錠本体５は被係止部１５を係止可能となる。また、ダイヤル１８にも同様の係止片が設けられている。
また、ステンレス複より線にビニールコーティングを施したワイヤー部３は、予め円筒コイル状にくせがつけられており、自由な状態では円筒コイル密着巻に近い状態となるが、両端を引っ張ると柔軟に伸びる。また、ワイヤー部３の両端部分にはビニールコーティングは施されておらず、それぞれダイヤル錠の外郭及び被係止部１５に設けられた穴に挿入されて圧着接続されている。
また、端部２は鋳造鉄製で被係止部１５には切り欠き状の溝１６が設けられており、また、外周を１周する凹形状の嵌合形状１２が成型されている。
また、施錠の際は、ダイヤル１７及び１８を暗証番号に合わせてから被係止部１５を穴１１に挿入し、ダイヤル１７を暗証番号から外すことで被係止部１５の溝１６に係止片１０が係合し、被係止部１５を係止する。また、解錠の際は再び暗証番号通りにダイヤル１７及び１８を合わせればよい。
【００１８】
また、図６の保持部材５０は、図３の保持部材５０のように嵌合部５２を備えず、ワイヤー収納部６１の一端部の内壁５９に溝状の嵌合形状５４が設けられている。この嵌合形状５４には嵌合形状１２のフランジ部１３が嵌合する。また、端部２にはテーパー部１４が設けられているので、ワイヤー収納部６１の長手方向からフランジ部１３を挿入して嵌合形状５４に嵌合させることも容易である。
その他は図３の保持部材５０と同様である。
【００１９】
〔第３実施形態〕
第３実施形態の携帯式の施錠装置は、第１実施形態の携帯式の施錠装置を、図７及び８のように変更したのものである。変更したのは嵌合形状１２であり、六角形の穴１９による嵌合形状１２に、六角形の棒６３による嵌合形状５４が挿入されるものである。
【００２０】
〔その他の実施形態〕
第１から第３実施形態において説明した様々な嵌合形状１２の案の他にも、嵌合部５２又はワイヤー収納部６１の一端部の外壁にキャップ状の端部２の内壁が嵌合するような案も考えられる。また、これらの嵌合形状１２の案は、第１から第３実施形態のいずれの端部１にも適用することができる。また、適用された嵌合形状１２の案に合わせて保持部材５０の嵌合形状５３も当然変更される。
また、ワイヤー収納部６１は、図９のような案の他にも、図１０のように軸線６６を中心に相対揺動可能なアーム６４及び６５によって構成されるような案も考えられる。この際、アーム６４及びアーム６５は適度な摺動抵抗を伴って揺動する、又はアーム６４がアーム６５に近づく方向にネジリコイルバネ等の付勢部材によって付勢されているようにすればさらに好ましい。
【図面の簡単な説明】
【００２１】
【図１】第１実施形態の施錠装置４のワイヤー部３を伸ばした状態を表す図
【図２】第１実施形態の施錠装置４のワイヤー部３を縮めた状態を第三角法で表す図
【図３】第１実施形態の保持部材５０を表す図
【図４】第１実施形態の施錠装置４を保持部材５０に収納した状態を表す図
【図５】第２実施形態の施錠装置４のワイヤー部３を縮めた状態を第三角法で表す図
【図６】第２実施形態の保持部材５０を表す図
【図７】第３実施形態の施錠装置４のワイヤー部３を縮めた状態を第三角法で表す図
【図８】第３実施形態の保持部材５０を表す図
【図９】図３、６、８のいずれかの線分Ａ−Ａ断面図、その１
【図１０】図３、６、８のいずれかの線分Ａ−Ａ断面図、その２
【符号の説明】
【００２２】
１,２.                                                端部
３.                                                    ワイヤー部
４.                                                    施錠装置
５.                                                    錠本体
６.                                                    内筒
７.                                                    鍵穴
８,９,１２,５３,５４.                      嵌合形状
１０.                                                 係止片
１１,１９,５５,５６,５８.               穴
１３.                                                 フランジ部
１４.                                                 テーパー部
１５.                                                 被係止部
１６,５７.                                        溝
１７,１８.                                        ダイヤル
２０.                                                 外筒
５０.                                                 保持部材
５１,５２.                                        嵌合部
５９.                                                 内壁
６０.                                                 挿入口
６１.                                                 ワイヤー収納部
６２.                                                 取り付け手段
６３.                                                 棒
６４,６５.                                        アーム
６６.                                                 軸線
６７.                                                 当たり
【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
第１嵌合形状と、内部で移動可能な係止片を備える錠本体と、を備える第１端部と、
第２嵌合形状と、前記係止片が係合することで前記錠本体が係止可能となる被係止部と、を備える第２端部と、
一端及び他端がそれぞれ前記第１端部及び前記第２端部に接続され、予め円筒コイル状にくせがつけられているワイヤー部と、
を備える施錠装置と、
前記第１嵌合形状及び前記第２嵌合形状とそれぞれ嵌合し抜き差し可能に保持する第３嵌合形状及び第４嵌合形状と、
前記第３嵌合形状及び前記第４嵌合形状の間に設けられ、棒状であり軸線方向に見た内壁が略C字状で、前記ワイヤー部を前記略C字状の両端の間の挿入口から前記内壁の内側に挿入可能であるワイヤー収納部と、
を備える保持部材と、
を具備する、携帯式の施錠装置。
【請求項２】
前記保持部材は、棒状の前記ワイヤー収納部が移動体の棒状部に寄り添うように固定可能な取り付け手段を備える、
請求項１に記載の携帯式の施錠装置。
【請求項３】
前記取り付け手段は、前記保持部材に一体又は別体に備えられる帯状部によるものであり、
前記帯状部は前記移動体の棒状部に巻き付け可能である、
請求項２に記載の携帯式の施錠装置。
【請求項４】
前記保持部材は、自転車フレームのドリンクホルダー取り付け用ネジ穴の取り付けピッチにあわせた第1穴及び第２穴を備える、
請求項１に記載の携帯式の施錠装置。
【手続補正２】
【補正対象書類名】明細書
【補正対象項目名】全文
【補正方法】変更
【補正の内容】
【発明の詳細な説明】
【技術分野】
【０００１】
本発明は、携帯式の施錠装置に関する。
【背景技術】
【０００２】
携帯式の施錠装置においては、特許文献１のように被施錠物に略Ｕ字状棒を通してから略Ｕ字状棒の両端に略Ｉ字状棒を係止することで施錠するものや、特許文献２のように被施錠物にワイヤーを通してからワイヤーがループ状になるように係止することで施錠するものがよく知られている。
【０００３】
【特許文献１】特開２００２−３０９８２９号公報
【特許文献２】特開２００２−３７１７３８号公報
【０００４】
また、特許文献３又は４のように、ケーシング内部に収納可能で一端がケーシング内部に固定されるワイヤーを用いた錠のアイデアが知られている。
【０００５】
【特許文献３】特開２０００−０５３０４６号公報
【特許文献４】実開昭６３−０６７１６８号公報
【発明の開示】
【発明が解決しようとする課題】
【０００６】
施錠装置においては、頑丈そうな外観で、悪意ある第三者が被施錠物を盗難する意欲が無くなるようなものが望まれる。
また、門柱等につなぐように被施錠物を施錠して、被施錠物が容易に移動されないようにする為に、長いワイヤー等をもつ施錠装置が望まれる。
しかし、これらの盗難防止を意識した施錠装置は携帯性に難のあるものが多く、例えばスポーツタイプの自転車のようにカゴの無い自転車では、ハンドルに引っ掛けて頑丈そうな施錠装置をふらふらさせながら走行しているのをよく見かける。このような携帯方法はハンドル操作の妨げとなるし、フレームがアルミやカーボンで薄肉化され、美しい塗装が施されたスポーツタイプの自転車では、ふらふらと動く施錠装置がフレームを損傷することが心苦しい。だからといって、施錠装置を使用しないときに折りたたみ収納する手間がかかれば、いざ使用するときにも手間がかかり、ついつい施錠がおろそかになってしまう。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る携帯式の施錠装置は、例えば図１から図４のように、
嵌合形状８（９）と、内部で移動可能な係止片１０を備える錠本体５と、を備える端部１と、
嵌合形状１２と、係止片１０が係合することで錠本体５が係止可能となる被係止部１５と、を備える端部２と、
一端及び他端がそれぞれ端部１及び２に接続され、予め円筒コイル状にくせがつけられているワイヤー部３と、
を備える施錠装置４と、
嵌合形状８（９）及び嵌合形状１２とそれぞれ嵌合し抜き差し可能に保持する嵌合形状５３及び５４と、
嵌合形状５３及び５４の間に設けられ、棒状であり軸線方向に見た内壁５９が略C字状で、ワイヤー部３を前記略C字状の両端の間の挿入口６０から内壁５９の内側に挿入可能であるワイヤー収納部６１と、
を備える保持部材５０と、
を具備する、携帯式の施錠装置である。
【０００９】
発明２に係る携帯式の施錠装置は、発明１の施錠装置において、例えば図３、６、８のいずれかのように、
保持部材５０は、棒状のワイヤー収納部６１が自転車やオートバイ等の移動体の棒状部に寄り添うように固定可能な取り付け手段６２を備える、携帯式の施錠装置である。
【００１０】
発明３に係る携帯式の施錠装置は、発明２の施錠装置において、
取り付け手段６２は、保持部材５０に一体又は別体に備えられる帯状部によるものであり、
前記帯状部は前記移動体の棒状部に巻き付け可能である、携帯式の施錠装置である。
例えば、図３、６、８のいずれかにおいては、帯状の部材を穴５８に通して溝５７に沿わせてから移動体の棒状部に巻き付ける。
【００１１】
発明４に係る携帯式の施錠装置は、発明１の施錠装置において、例えば図３、６、８のいずれかのように、
保持部材５０は、自転車フレームのドリンクホルダー取り付け用ネジ穴の取り付けピッチにあわせた穴５５及び５６を備える、携帯式の施錠装置である。
【発明の効果】
【００１２】
以上のように本発明では、施錠装置４を使用する際は、特許文献３又は４の施錠装置と違ってケーシングである保持部材５０を素早く取り外すことが可能であるので、ケーシング内部で曲がることができなかったワイヤーも有効利用することが可能となり、十分な長さをもったワイヤー部３によって被施錠物の移動を有効に防ぐことができる。また、屋外使用においてワイヤー部３に付着したゴミをケーシング内部に引き込んで掃除ができないというような不都合も起こりにくい。また、保持部材５０に施錠装置４を収納する際は、図１のようにワイヤー部３を伸ばしてやれば円筒コイル形状の外径が細くなるので容易に挿入口６０からワイヤー部３０を収納することができ、また収納後は外径が元に戻るのでワイヤー収納部６１の内側でのワイヤー部３のガタツキを抑えることが容易である。
【００１３】
また、発明２又は３では、本発明の効果に加えて、例えば自転車フレームのフレームパイプに寄り添うように棒状のワイヤー収納部６１を配置し、施錠装置４を収納しておけば、使用時には速やかに施錠装置４を利用でき、自転車フレームに負担や傷を負わせる可能性が低くなるし、自転車操作の妨げにならない。
【００１４】
また、発明４では、本発明の効果に加えて、例えば自転車フレームのボトムチューブやシートチューブ等に予め設けられたドリンクホルダー取り付け用ネジ穴を利用して保持部材５０を取り付け、ドリンクボトルとフレームパイプに寄り添うように施錠装置４を収納しておけば、使用時には速やかに施錠装置４を利用でき、自転車フレームに負担や傷を負わせる可能性が低くなるし、自転車操作の妨げにならない。
【発明を実施するための最良の形態】
【００１５】
〔第１実施形態〕
図１から図４において、端部１は、内筒６、鍵穴７、外筒２０、タンブラ等から構成されるシリンダ錠である錠本体５をポリアセタールにインサートして成型された円柱形状で、外周を１周する凹形状の嵌合形状８及び９が成型されている。また、内筒６には係止片１０が一体成型されており、内筒６の回転中心軸線に垂直な方向に端部１の外壁を貫通するように開けられた穴１１から係止片１０を見ることができる。
また、ステンレス複より線にビニールコーティングを施したワイヤー部３は、予め円筒コイル状にくせがつけられており、自由な状態では円筒コイル密着巻に近い状態となるが、両端を引っ張ると柔軟に伸びる。また、ワイヤー部３の両端部分にはビニールコーティングは施されておらず、それぞれ外筒２０及び被係止部１５に設けられた穴に挿入されて圧着接続されている。
また、端部２は、被係止部１５を構成する鉄製円柱状棒の一端部をポリアセタールにインサートして成型された円柱形状で、外周を１周する凹形状の嵌合形状１２が成型されている。また、被係止部１５の外周中央付近を１周するように溝１６が設けられている。
また、施錠の際は、ワイヤー部３を伸ばして被施錠物に通したあと、被係止部１５の先端で係止片１０を押しのけて穴１１に被係止部１５を挿入し、挿入が完了した被係止部１５の溝１６に係止片１０がバネの力で戻ってきて係合し、被係止部１５を係止する。また、解錠の際は、鍵穴７に錠本体５と一対となる鍵を挿入し、内筒６を外筒２０に相対回転させることで溝１６から係止片１０を外す。
【００１６】
また、図３の保持部材５０は、ガラスファイバーを混合したポリエチレン成型製で、自転車フレームのドリンクホルダー取り付け用ネジ穴の取り付けピッチにあわせた長穴である穴５５及び５６を有し、嵌合形状８（９）及び１２とそれぞれ嵌合する嵌合形状５３及び５４を略Ｃ字状の嵌合部５１及び５２の内壁として備える。また、保持部材５０の素材の弾性を利用して嵌合部５１及び５２によって、施錠装置４を抜き差し容易に保持する。
また、保持部材５０には図９のように図３の線分Ａ−Ａ断面図が略Ｃ字状のワイヤー収納部６１が備えられ、僅かに抵抗をもってワイヤー部３の円筒コイル形状が挿入されることで、施錠装置４の収納時にワイヤー部３は振動等によってガタツキにくくなる。
また、移動体の棒状部にネジ穴等の取り付けの手がかりが無い場合は、電線を束ねる為の帯のような帯状の部材を穴５８に通して溝５７に沿わせてから移動体の棒状部に巻き付けることで固定する方法が考えられる。また、保持部材５０に帯状部を予め設けておいても良いだろう。
【００１７】
〔第２実施形態〕
図５及び６において、端部１は、１から９までの数字が外周に表示されたリング状のダイヤル１７及び１８を回転自在に備えるダイヤル錠の形状をそのまま利用しており、嵌合形状８及び９はそれぞれダイヤル１７及び１８に形成されている。また、係止片１０はダイヤル１７の内周に一体成型されており、穴１１から挿入された被係止部１５の溝１６に係合することで錠本体５は被係止部１５を係止可能となる。また、ダイヤル１８にも同様の係止片が設けられている。
また、ステンレス複より線にビニールコーティングを施したワイヤー部３は、予め円筒コイル状にくせがつけられており、自由な状態では円筒コイル密着巻に近い状態となるが、両端を引っ張ると柔軟に伸びる。また、ワイヤー部３の両端部分にはビニールコーティングは施されておらず、それぞれダイヤル錠の外郭及び被係止部１５に設けられた穴に挿入されて圧着接続されている。
また、端部２は鋳造鉄製で被係止部１５には切り欠き状の溝１６が設けられており、また、外周を１周する凹形状の嵌合形状１２が成型されている。
また、施錠の際は、ダイヤル１７及び１８を暗証番号に合わせてから被係止部１５を穴１１に挿入し、ダイヤル１７を暗証番号から外すことで被係止部１５の溝１６に係止片１０が係合し、被係止部１５を係止する。また、解錠の際は再び暗証番号通りにダイヤル１７及び１８を合わせればよい。
【００１８】
また、図６の保持部材５０は、図３の保持部材５０のように嵌合部５２を備えず、ワイヤー収納部６１の一端部の内壁５９に溝状の嵌合形状５４が設けられている。この嵌合形状５４には嵌合形状１２のフランジ部１３が嵌合する。また、端部２にはテーパー部１４が設けられているので、ワイヤー収納部６１の軸線方向からフランジ部１３を挿入して嵌合形状５４に嵌合させることも容易である。
その他は図３の保持部材５０と同様である。
【００１９】
〔第３実施形態〕
第３実施形態の携帯式の施錠装置は、第１実施形態の携帯式の施錠装置を、図７及び８のように変更したのものである。変更したのは嵌合形状１２であり、六角形の穴１９による嵌合形状１２に、六角形の棒６３による嵌合形状５４が挿入されるものである。
【００２０】
〔その他の実施形態〕
第１から第３実施形態において説明した様々な嵌合形状１２の案の他にも、嵌合部５２又はワイヤー収納部６１の一端部の外壁にキャップ状の端部２の内壁が嵌合するような案も考えられる。また、これらの嵌合形状１２の案は、第１から第３実施形態のいずれの端部１にも適用することができる。また、適用された嵌合形状１２の案に合わせて保持部材５０の嵌合形状５３も当然変更される。
また、ワイヤー収納部６１は、図９のような案の他にも、図１０のように軸線６６を中心に相対揺動可能なアーム６４及び６５によって構成されるような案も考えられる。この際、アーム６４及びアーム６５は適度な摺動抵抗を伴って揺動する、又はアーム６４がアーム６５に近づく方向にネジリコイルバネ等の付勢部材によって付勢されているようにすればさらに好ましい。
【図面の簡単な説明】
【００２１】
【図１】第１実施形態の施錠装置４のワイヤー部３を伸ばした状態を表す図
【図２】第１実施形態の施錠装置４のワイヤー部３を縮めた状態を第三角法で表す図
【図３】第１実施形態の保持部材５０を表す図
【図４】第１実施形態の施錠装置４を保持部材５０に収納した状態を表す図
【図５】第２実施形態の施錠装置４のワイヤー部３を縮めた状態を第三角法で表す図
【図６】第２実施形態の保持部材５０を表す図
【図７】第３実施形態の施錠装置４のワイヤー部３を縮めた状態を第三角法で表す図
【図８】第３実施形態の保持部材５０を表す図
【図９】図３、６、８のいずれかの線分Ａ−Ａ断面図、その１
【図１０】図３、６、８のいずれかの線分Ａ−Ａ断面図、その２
【符号の説明】
【００２２】
１,２.                                               端部
３.                                                    ワイヤー部
４.                                                    施錠装置
５.                                                    錠本体
６.                                                    内筒
７.                                                    鍵穴
８,９,１２,５３,５４.                            嵌合形状
１０.                                                係止片
１１,１９,５５,５６,５８.      穴
１３.                                                フランジ部
１４.                                                テーパー部
１５.                                                被係止部
１６,５７.                                          溝
１７,１８.                                          ダイヤル
２０.                                                外筒
５０.                                                保持部材
５１,５２.                                          嵌合部
５９.                                                内壁
６０.                                                挿入口
６１.                                                ワイヤー収納部
６２.                                                取り付け手段
６３.                                                棒
６４,６５.                                          アーム
６６.                                                軸線
６７.                                                当たり